(57)【要約】【課題】複数の印字枠内に抽選番号等可変情報データが印字されている印刷物で、可変情報データの背景にある改ざん（贋造）を防止するパターンが同一となる確率が殆どないような偽造防止策が施された印刷物とその製造方法の提供。【解決手段】複数の印字枠１０内に抽選番号等可変情報データ１２が印字されている１面３が多面付けで配列される基材５の全面に、前記可変情報データの下に不等間隔でなる斜線２０が印刷されている偽造防止策が施された印刷物であって、前記不等間隔でなる斜線２０が走行方向Ｐに対し一枚毎に前後いずれかにずれて印刷されている偽造防止策が施された印刷物とし、前記不等間隔でなる斜線２０は、可視光下では視認不可能な特殊インキで印刷されているものである。【選択図】図６
2004148712.tif 000002
【特許請求の範囲】
【請求項１】
走行する基材の片面に、複数の印字枠を有し該印字枠内にセキュリティ性の高い情報手段となる可変情報データが印字されている１面が多面付けで配列されていて、前記多面付けで印字されている可変情報データの下で、かつ多面付けされる基材全面に不等間隔でなる斜線もしくはその変形パターンの画線が一枚毎に連続して印刷されている偽造防止策が施された印刷物であって、前記不等間隔でなる斜線もしくはその変形パターンの画線中の少なくとも１本が各印字枠内に入っていて、かつ不等間隔でなる斜線もしくはその変形パターンの画線が、走行方向に対し一枚毎に前後いずれかにずれて印刷されていることを特徴とする偽造防止策が施された印刷物。
【請求項２】
上記不等間隔でなる斜線もしくはその変形パターンの画線は、可視光下では視認不可能な特殊インキで印刷されていることを特徴とする請求項１記載の偽造防止策が施された印刷物。
【請求項３】
上記可変情報データの下で、かつ上記印字枠内に細紋パターンが施されていることを特徴とする請求項１または２記載の偽造防止策が施された印刷物。
【請求項４】
走行する基材の片面に、複数の印字枠を有し該印字枠内にセキュリティ性の高い情報手段となる可変情報データが印字されている１面を多面付けで配列せしめ、前記多面付けで印字されている可変情報データの下で、かつ基材全面に不等間隔でなる斜線もしくはその変形パターンの画線を施し、該画線中の少なくとも１本を各印字枠内に入れ、かつ基材の走行方向に対し一枚毎に前後いずれかにずれて印刷されている偽造防止策が施された印刷物の製造方法であって、前記不等間隔でなる斜線もしくはその変形パターンの画線が施された印刷版胴の回転を、走行する基材に対し一回転毎に前後いずれかにずらして印刷することを特徴とする偽造防止策が施された印刷物の製造方法。
【請求項５】
上記不等間隔でなる斜線もしくはその変形パターンの画線は、可視光下では視認不可能な特殊インキで印刷することを特徴とする請求項４記載の偽造防止策が施された印刷物の製造方法。
【請求項６】
上記可変情報データの下で、かつ上記印字枠内に細紋パターンを施すことを特徴とする請求項４または５記載の偽造防止策が施された印刷物の製造方法。
【発明の詳細な説明】
【０００１】
【発明の属する技術分野】
本発明は、偽造防止策が施された印刷物に関するものであり、特に抽選券等における当選番号や当選絵柄等の改ざんを防止する偽造防止策が施された印刷物に関するものである。
【０００２】
【従来の技術】
従来、例えば当選番号あるいは「当たり」、「外れ」、それに相当する絵柄などの可変情報データを、隠蔽性とスクラッチオフ性（引っ掻き落とし易さ）のインキで隠蔽したスクラッチ籤が知られ、インスタント抽選券や抽選付ゲームカードあるいは印刷物などに広く採用されている。
【０００３】
しかし、上記スクラッチ籤に限らず、当選番号やそれに相当するパターン等となる可変情報データが印字されている抽選券等印刷物において、例えば図８（ａ）に示すように、３個の印字枠（１０）内に可変情報データ（１２）としてそれぞれ「１」、「２」、「３」が順番に並ぶと当選する抽選付印刷物（２）の場合、図８（ｂ）に示すような可変情報データ（１２）が「１」、「２」、「２」の順番に並ぶ外れ券である抽選付印刷物（２）の右端の印字枠（１０）内の「２」を含めて切り取り、これに図８（ｃ）に示すような可変情報データ（１２）が「３」、「２」、「２」の順番に並ぶ外れ券である抽選付印刷物（２）の左端の印字枠（１０）内の「３」を含めて切り取って、図１（ｂ）に示す外れ券である抽選付印刷物（２）の右端の印字枠（１０）内に貼り合せ、図８（ａ）に示すような可変情報データ（１２）が「１」、「２」、「３」が順番に並ぶ当選券である抽選付印刷物（２）に改ざんするという問題多く発生するものであった。
【０００４】
このような改ざんによる偽造防止策として、例えば図９（ａ）に示すように、可変情報データ（１２）としてそれぞれ「１」、「２」、「３」が印字されている３個の印字枠（１０）内で、その可変情報データ（１２）の下にランダムパターンでなる細紋パターン（１４）が印刷されている偽造防止策が施された印刷物（１）としたもので、この場合の偽造防止策が施された印刷物（１）を改ざんしようとすると、例えば図９（ａ）に示すように、３個の印字枠（１０）内に可変情報データ（１２）としてそれぞれ「１」、「２」、「３」が順番に並ぶと当選する偽造防止策が施された印刷物（１）の場合、図９（ｂ）に示すような可変情報データ（１２）が「１」、「２」、「２」の順番に並ぶ外れ券である偽造防止策が施された印刷物（１）の右端の印字枠（１０）内の「２」とその周囲の細紋パターン（１４）を含めて切り取り、これに図９（ｃ）に示すような可変情報データ（１２）が「３」、「２」、「２」の順番に並ぶ外れ券である偽造防止策が施された印刷物（１）の左端の印字枠（１０）内の「３」とその周囲の細紋パターン（１４）を含めて切り取って、図９（ｂ）に示す外れ券である偽造防止策が施された印刷物（１）の右端の印字枠（１０）内に貼り合せ、図９（ａ）に示すような可変情報データ（１２）が「１」、「２」、「３」が順番に並ぶ当選券である偽造防止策が施された印刷物（１）となるが、図９（ａ）に示す当選券であるはずの偽造防止策が施された印刷物（１）をよく観察すると、右端の印字枠（１０）内にある図９（ｃ）の左端から切り取られ、貼り合わせた「３」でなる可変情報データ（１２）の周囲の細紋パターン（１４）とその外側の貼り合わされた細紋パターン（１４）に連続性がなく途切れているものであり、このような不連続性の細紋パターン（１４）により偽造と判定される偽造防止策が施された印刷物（１）となるものである。
【０００５】
しかしながら、上記印字枠（１０）内に細紋パターン（１４）が施された偽造防止策が施された印刷物（１）においても、単純な細紋パターンの場合では、同一または極類似の細紋パターン（１４）が施された可変情報データ（１２）を切取り貼り替えることによって、細紋パターン（１４）の連続性のあるものとすることが可能であり、完全な改ざんによる偽造防止策とはならないという問題があった。
【０００６】
さらに上記問題は、印刷版を用いて細紋パターンを施すことにあり、即ち細紋パターンは数十パターンしかできないことと、例えば縦４×横５面の計２０面が面付けされる印刷版を用いて、２０面が面付けされた１０００枚を印刷した場合、同一細紋パターンを持つ面が２万面中１０００面発生することになる。即ち２０枚に１枚の割合で同一細紋パターンを持つ１面の印刷物ができることになり、極類似の細紋パターンを合わせるとさらに多く発生することになり、貼り替えによる改ざん（贋造）も可なり多く発生する危惧があるという問題があった。
【０００７】
また、図示しないが、上記印字枠内に細紋パターンが施された偽造防止策が施された印刷物において、細紋パターンが施された印字枠毎に切り取り貼り替えすると、細紋パターンに連続性のあるものとすることができ、改ざんによる偽造防止策とはならないという問題があった。
【０００８】
【発明が解決しようとする課題】
本発明は、かかる従来技術の問題点を解決するものであり、その課題とするところは、複数の印字枠を有し、該印字枠内にセキュリティ性の高い情報手段（抽選番号等）となる可変情報データが印字されている印刷物において、前記可変情報データの背景にある貼り替えによる改ざん（贋造）を防止するパターンが同一となるものが殆ど発生しないような偽造防止策が施された印刷物とその製造方法を提供することにある。
【０００９】
【課題を解決するための手段】
本発明に於いて上記課題を達成するために、まず請求項１の発明では、走行する基材の片面に、複数の印字枠を有し該印字枠内にセキュリティ性の高い情報手段となる可変情報データが印字されている１面が多面付けで配列されていて、前記多面付けで印字されている可変情報データの下でかつ多面付けされる基材全面に不等間隔でなる斜線もしくはその変形パターンの画線が一枚毎に連続して印刷されている偽造防止策が施された印刷物であって、前記不等間隔でなる斜線もしくはその変形パターンの画線中の少なくとも１本が各印字枠内に入っていて、かつ不等間隔でなる斜線もしくはその変形パターンの画線が、走行方向に対し一枚毎に前後いずれかにずれて印刷されていることを特徴とする偽造防止策が施された印刷物としたものである。
【００１０】
上記請求項１の発明によれば、複数の印字枠内にセキュリティ性の高い情報手段（例えば当選あるいは外れ番号）となる可変情報データが印字され、この下で基材全面に不等間隔でなる斜線もしくはその変形パターンの画線が印刷され、少なくともその１本が印字枠内に入っているので、印字枠内であるいは印字枠毎にその可変情報データを切取り・貼合わせ（貼り替え）て改ざん（贋造）しようとすると、貼り替えられた部分が不等間隔でなる斜線もしくはその変形パターンの画線にその周囲との連続性が無くなり、改ざん行為が判明される偽造防止策が施された印刷物とすることができ、かつ多面付けで印字されている可変情報データの下で、多面付けされる基材全面に、不等間隔でなる斜線もしくはその変形パターンの画線が一枚毎に連続して印刷されていて、この不等間隔でなる斜線もしくはその変形パターンの画線が、走行方向に対し一枚毎に前後いずれかにずれて印刷されているので、貼り替えによる改ざんを防止するパターンとして同一となるものが殆ど発生しない偽造防止策が施された印刷物を提供できる。
【００１１】
また、請求項２の発明では、上記不等間隔でなる斜線もしくはその変形パターンの画線は、可視光下では視認不可能な特殊インキで印刷されていることを特徴とする請求項１記載の偽造防止策が施された印刷物としたものである。
【００１２】
上記請求項２の発明によれば、上記不等間隔でなる斜線もしくはその変形パターンの画線が可視光下では視認不可能な特殊インキで印刷されているので、貼り替えによる改ざんをしようとする者には気付かれないので偽造防止効果を向上させ、かつ可視光下では可変情報データ等に影響を与えないので、そのデザイン性に自由度を付与する偽造防止策が施された印刷物とすることができる。
【００１３】
また、請求項３の発明では、上記可変情報データの下で、かつ上記印字枠内に細紋パターンが施されていることを特徴とする請求項１または２記載の偽造防止策が施された印刷物としたものである。
【００１４】
上記請求項３の発明によれば、上記可変情報データの下で、かつ上記印字枠内に細紋パターンが施されているので、上記不等間隔でなる斜線もしくはその変形パターンの画線による改ざん防止効果に加え、よりその効果を向上させる偽造防止策が施された印刷物とすることができる。
【００１５】
また、請求項４の発明では、走行する基材の片面に、複数の印字枠を有し該印字枠内にセキュリティ性の高い情報手段となる可変情報データが印字されている１面を多面付けで配列せしめ、前記多面付けで印字されている可変情報データの下でかつ基材全面に不等間隔でなる斜線もしくはその変形パターンの画線を施し、該画線中の少なくとも１本を各印字枠内に入れ、かつ基材の走行方向に対し一枚毎に前後いずれかにずれて印刷されている偽造防止策が施された印刷物の製造方法であって、前記不等間隔でなる斜線もしくはその変形パターンの画線が施された印刷版胴の回転を、走行する基材に対し一回転毎に前後いずれかにずらして印刷することを特徴とする偽造防止策が施された印刷物の製造方法としたものである。
【００１６】
上記請求項４の発明によれば、複数の印字枠内にセキュリティ性の高い情報手段（例えば当選あるいは外れ番号）となる可変情報データを印字し、この下で基材全面に不等間隔でなる斜線もしくはその変形パターンの画線を印刷し、少なくともその１本が印字枠内に入れているので、その印字枠内でその可変情報データを切取り・貼合わせ（貼り替え）で改ざん（贋造）しようとすると、貼り替えられた部分が不等間隔でなる斜線もしくはその変形パターンの画線にその周囲との連続性が無くなり、容易に改ざん行為が判明される偽造防止策が施された印刷物の製造方法とすることができ、かつ多面付けで印字されている可変情報データの下で、基材全面に、不等間隔でなる斜線もしくはその変形パターンの画線が施された印刷版胴の回転を、走行する基材に対し一回転毎に前後いずれかにずらして印刷することによって、不等間隔でなる斜線もしくはその変形パターンの画線が走行方向に対し一枚毎に前後いずれかにずれて印刷されていて、よって貼り替えによる改ざんを防止するパターンとして同一となるものが殆ど発生しない偽造防止策が施された印刷物の製造方法とすることができる。
【００１７】
また、請求項５の発明では、上記不等間隔でなる斜線もしくはその変形パターンの画線は、可視光下では視認不可能な特殊インキで印刷することを特徴とする請求項４記載の偽造防止策が施された印刷物の製造方法としたものである。
【００１８】
上記請求項５の発明によれば、上記不等間隔でなる斜線もしくはその変形パターンの画線が可視光下では視認不可能な特殊インキで印刷することによって、貼り替えによる改ざんをしようとする者には気付かれないので偽造防止効果が向上し、かつ可視光下では可変情報データ等に影響を与えないので、そのデザイン性に自由度を増させる偽造防止策が施された印刷物の製造方法とすることができる。
【００１９】
さらにまた、請求項６の発明では、上記可変情報データの下で、かつ印字枠内に細紋パターンを施すことを特徴とする請求項４または５記載の偽造防止策が施された印刷物の製造方法としたものである。
【００２０】
上記請求項６の発明によれば、上記可変情報データの下で、かつ上記印字枠内に細紋パターンが施しているので、上記不等間隔でなる斜線もしくはその変形パターンの画線による改ざん防止効果に加え、よりその効果を向上させる偽造防止策が施された印刷物の製造方法とすることができる。
【００２１】
【発明の実施の形態】
以下本発明の実施の形態を図面を用いて詳細に説明する。
上記請求項１に係る発明の偽造防止策が施された印刷物は、例えば図１の正面図に示すように、基材の片面に３個の印字枠（１０）を有し、この印字枠（１０）内に、セキュリティ性の高い情報手段、例えば「１」、「２」、「２」の如く抽選番号となる可変情報データ（１２）が印字されていて、この可変情報データ（１２）の下で、基材全面に不等間隔でなる斜線（２０）が印刷されている偽造防止策が施された印刷物（１）である。
【００２２】
上記不等間隔でなる斜線（２０）が施された偽造防止策が施された印刷物（１）においては、例えば図５（ａ）に示すように、３個の印字枠（１０）内の可変情報データ（１２）としてそれぞれ「１」、「２」、「３」の順番で並ぶと当選する偽造防止策が施された印刷物（１）の場合、この場合の改ざん行為は、図５（ｂ）に示すような可変情報データ（１２）が「１」、「２」、「２」の順番に並ぶ外れ券である偽造防止策が施された印刷物（１）の右端の可変情報データ（１２）である「２」を含む印字枠（１０）ごとを、その印字枠（１０）内の不等間隔でなる斜線（２０）とともに切り取り、一方で、図５（ｃ）に示すような可変情報データ（１２）が「３」、「２」、「２」の順番に並ぶ外れ券である偽造防止策が施された印刷物（１）の左端の可変情報データ（１２）である「３」を含む印字枠（１０）毎を、その印字枠（１０）内の不等間隔でなる斜線（２０）とともに切り取って、上記で切り取られた図５（ｂ）に示す外れ券である偽造防止策が施された印刷物（１）の右端の印字枠（１０）内に貼り合せて、図５（ａ）に示すような可変情報データ（１２）が「１」、「２」、「３」が順番に並ぶ当選券である偽造防止策が施された印刷物（１）とするものであるが、図５（ａ）に示す当選券であるはずの偽造防止策が施された印刷物（１）をよく観察すると、右端の印字枠（１０）内にある図５（ｃ）の左端から切り取り、貼り合わせた「３」でなる可変情報データ（１２）の下の不等間隔でなる斜線（２０）とその印字枠（１０）の外側の不等間隔でなる斜線（２０）とに連続性がなく途切れているものであり、このような不連続性の不等間隔でなる斜線（２０）により偽造と判定される偽造防止策が施された印刷物（１）となるものである。
【００２３】
上記改ざん（贋造）防止策となる不等間隔でなる斜線（２０）のパターンの変形として、例えば図２の正面図に示すように、不等間隔でなる斜線が交差するチェックパターン（２２）とした偽造防止策が施された印刷物（１）とすることもでき、また図３の正面図に示すように、例えば不等間隔でなる直線、曲線、丸等が集合する幾何学パターン（２４）とした偽造防止策が施された印刷物（１）とすることもでき、さらにまた、例えば図４の正面図に示すように、不等間隔でなる丸や楕円の集合でなる丸・楕円パターン（２６）とした偽造防止策が施された印刷物（１）とすることもできる。さらに上記不等間隔でなる斜線（２０）、不等間隔でなる斜線が交差するチェックパターン（２２）、不等間隔でなる直線、曲線、丸等が集合する幾何学パターン（２４）および不等間隔でなる丸や楕円の集合でなる丸・楕円パターン（２６）のいずれもをマイクロ文字の集合でなるものとすることもできる。
【００２４】
さらに上記請求項１に係る発明では、例えば図６（ｂ）の正面図に示すように、走行する基材（５）の片面に、例えば図６（ａ）の正面図に示すような３個の印字枠（１０）内にセキュリティ性の高い情報手段（「１」、「２」、「３」でなる抽選番号）となる可変情報データ（１２）が印字されている１面（３）が、図６（ｂ）に示すように、縦４面×横５面となる２０面付けで配列されていて、図６（ｃ）に示すように、この印字されている可変情報データ（図示せず）の下で、かつ多面付けされる基材（５）の全面に不等間隔でなる斜線（２０）が印刷されているもので、この印刷が一枚毎に連続して印刷されている偽造防止策が施された印刷物（１）であって、その特徴とするところは、前記不等間隔でなる斜線（２０）中の少なくとも１本が各印字枠（図示せず）内に入っていて、かつ不等間隔でなる斜線（２０）が、走行方向（Ｐ）に対し一枚毎に前後いずれかにずれて印刷されているものである。
【００２５】
このように、１面（３）が、縦４面×横５面となる２０面付けで配列されていて、基材（５）全面に不等間隔でなる斜線（２０）が走行方向（Ｐ）に対し一枚毎に前後いずれかにずれて印刷されている偽造防止策が施された印刷物（１）とするもので、そのずれが、例えば基材（５）の縦幅が２５４ｍｍの場合、２５４ｍｍ／３６０ｍｍとすると、縦４面×横５面の計２０面が面付けされる基材（５）に１０００枚印刷した場合、同一不等間隔でなる斜線（２０）を持つ印刷物１０００枚中１０００／３６０枚発生することになる。即ち２万面に２．８面の割合で同一不等間隔でなる斜線パターン（２０）を持つ印刷物ができることになり、印字枠内でも、また印字枠ごとでも切取り・貼合わせによる改ざん（贋造）が殆ど不可能な偽造防止策が施された印刷物（１）とすることができる。
【００２６】
また、上記請求項２に係る発明では、例えば図５（ａ）に示す不等間隔でなる斜線（２０）は、可視光下では視認不可能な特殊インキで印刷されている偽造防止策が施された印刷物（１）とするもので、このように不等間隔でなる斜線（２０）が可視光下では視認不可能な特殊インキで印刷されていると、貼り替えによる改ざんをしようとする者には気付かれないので偽造防止効果を向上させ、かつ可視光下ではその上にある可変情報データ（１２）や印字枠（１０）内の細紋パターン（１４）などに影響を与えないので、この不等間隔でなる斜線（２０）自体や細紋パターン（１４）などのデザイン性に自由度を付与せしめる偽造防止策が施された印刷物（１）とすることができる。
【００２７】
上記可視光下では視認不可能な特殊インキとしては、例えば蛍光インキあるいは赤外吸収インキが挙げられ、前者の蛍光インキは、蛍光染料と合成樹脂固溶体でなる有機蛍光顔料を用いた印刷インキで、その蛍光染料には、例えば昼光下では黄色を、ブラックライト下では緑から黄緑色を呈するブリリアントスルホフラビンＦＦ、チオフラビン、ベーシックイエローあるいはフルオレセインなどが挙げられ、これら蛍光染料の坦体となる合成樹脂には、ポリメタクリル酸エステル、尿素、ホルマリン樹脂、メラミン・ホルマリン樹脂、塩化ビニル、塩ビ−酢ビ共重合体、アルキッド樹脂およびそれら変性したものなどが挙げられる。
また、前者の蛍光インキには、２００〜３００ｎｍの波長域の光にのみ発光するＺｎ２  ＳｉＯ４  ／Ｍｎ、ＣａＷＯ４  等でなる耐熱性のある無機系蛍光顔料を用いた印刷インキがあり、上記有機蛍光顔料または無機系蛍光顔料をそれぞれ（グラビア用、スクリーン用、オフセット用）の印刷インキのビヒクルに分散させてそれぞれ用の蛍光印刷インキとし、それぞれの印刷法で不等間隔でなる斜線（２０）もしくはその変形パターンが形成できるものである。
【００２８】
また、後者の赤外吸収インキは、赤外光波長領域のみ吸収する赤外線吸収材料をバインダー樹脂と溶媒等で溶解、分散させて印刷方式に合わせたインキとするもので、この赤外線吸収材料としては、例えば五二酸化リンを主成分とし酸化鉄或いは酸化銅或いは両者を含むリン酸結晶粉末、五二酸化リンを主成分としＦｅ２＋またはＣｕ２＋イオンを含むガラス系粉末、金属錯体の赤外線吸収材、シアニン系、フタロシアニン系、ナフタロシアニン系、アントラキノン系、コロニックメチン系、アズレオニオム系、ピリリウム系等の赤外線吸収染料が挙げられ、またそのバインダーとしては、ポリ塩化ビニル、酢酸ビニル−塩化ビニル共重合体、ポリアクリル、ポリスチレン、ポリアミド等樹脂が挙げられ、その溶媒としてはアマニ脂、キリ脂、トルエン、アセトン、イソプロピルアルコール等アルコール類、メチルエチルケトン、エチレングリコール等が挙げられ、それぞれ（グラビア、フレキソ、オフセット等）の印刷方式に応じて上記バインダーや溶媒を選定し、かつ粘度や転移性、乾燥性等を考慮して調整し赤外吸収インキとすることができる。
【００２９】
上記不等間隔でなる斜線（２０）もしくはその変形パターンの画線のＰＣＳ濃度は、０．２以下が好ましく、０．２を越えると可視光下で視認される危惧があり、またその線幅は、５０〜５００μｍの範囲とすることが好ましく、５０μｍに満たないと、（細くなって）画線の再現性が無くなり、５００μｍを越えると何らかの印刷が施されていることが分かる（視認される）危惧があるので好ましくない。
【００３０】
上記蛍光インキあるいは赤外吸収インキでなる不等間隔でなる斜線（２０）もしくはその変形パターンの画線の存在と改ざんによる不連続性の判定は、前者の蛍光インキの場合は、ブラックライトが搭載された鑑定機で蛍光パターンとして識別され、また後者の赤外吸収インキの場合は、赤外カメラにより白色下地のポジパターンとして識別され、真偽の判定ができるものである。
【００３１】
また、請求項３に係る発明は、例えば図５（ａ）に示すように、可変情報データ（１２）の下で、かつ印字枠（１０）内に細紋パターン（１４）が施されている偽造防止策が施された印刷物（１）としたものである。
【００３２】
上記のように、不等間隔でなる斜線（２０）に加え、各印字枠（１０）内に細紋パターン（１４）を施すことによって、例えば図５（ａ）に示すような右端の印字枠（１０）ごと貼り替え改ざんしたときの不等間隔でなる斜線（２０）の不連続性による偽造防止効果に加え、例えば図９（ａ）に示すような右端の印字枠（１０）内の可変情報データ（１２）である「３」とその下と周囲の細紋パターン（１４）を貼り替え改ざんする偽造行為をも防止する効果がある偽造防止策が施された印刷物（１）とすることができる。
【００３３】
さらに上記のように、基材全面に施した可視光下では視認できない蛍光インキ等特殊インキでなる不等間隔でなる斜線（２０）に加え印字枠（１０）内に細紋パターン（１４）を施すことによって、例えば図５（ａ）に示すように、改ざんしようとするものが、右端の印字枠（１０）ごと切り取り貼り替えて改ざんが完全に成功したものと勘違い（実際は可視光下では視認できない不等間隔でなる斜線（２０）がこの印字枠（１０）の内外で不連続となっている）するという効果もでてくるものである。
【００３４】
上記細紋パターン（１４）は、オフセット印刷、グラビア印刷、凸版印刷あるいはフレキソ印刷法のいずれでも得ることができ、その上に施される可変情報データ（１２）の色（黒色が多い）に対し、影響の少ない色（例えば緑、橙、赤、青等）とすることが好ましい。
【００３５】
また、可変情報データ（１２）の印字方式は、例えば数字や記号をサーマルヘッドによる感熱転写方式、あるいはレーザー照射によるトナー転写方式、インキジェット方式、ドットインパクト方式などが挙げられ、例えばインキジェット方式の場合は、図７（ａ）の積層断面図に示すように、基材（５）上の細紋パターン（１４）とその上の不等間隔でなる斜線（２０）の上に透明なインキ受像層（３０）を設けて、このインキ受像層（３０）の上にインキジェット方式による可変情報データ（１２）を印字するのが一般的である。
【００３６】
さらにまた、上記請求項４に係る発明では、例えば図６（ａ）に示すように、３個の印字枠（１０）内に可変情報データ（１２）が印字されている１面（３）が、図６（ｂ）に示すように縦４面×横５面に２０面付けで配列せしめ、図６（ｃ）に示すように、この２０面付けで印字されている可変情報データの下でかつ基材（５）全面に不等間隔でなる斜線（２０）を基材の走行方向（Ｐ）に対し一枚毎にずらして印刷する偽造防止策が施された印刷物の製造方法であって、この不等間隔でなる斜線（２０）のずらしは、例えば上記不等間隔でなる斜線（２０）が回転する円筒状の印刷版胴全面にかつ連続して（画線に繋ぎ目なしで）施されていて、この印刷版胴の回転を走行する基材（５）に対し１回転毎に前後いずれかにずらす（回転を瞬時的にずらす）ことによってなされるものである。
【００３７】
上記印刷版胴の回転のずらしを、例えば縦４面×横５面の計２０面が面付けされる印刷版胴を用いて、１回転毎に１°ずらしたとすると、図６（ｃ）に示すような１面（３）が、縦４面×横５面となる２０面付けで配列される基材（５）全面に不等間隔でなる斜線（２０）を１０００枚印刷した場合、同一不等間隔でなる斜線（２０）が印刷された基材（５）が１０００枚中１０００／３６０枚発生することになる。即ち２万面に２．８枚の割合で同一不等間隔でなる斜線パターンを持つ１面を有する印刷物ができることになり、印字枠内でも、また印字枠毎でも切取り・貼合わせる貼り替えによる改ざん（贋造）が殆ど不可能な偽造防止策が施された印刷物（１）の製造方法とすることができる。
【００３８】
上記印刷版胴として、不等間隔でなる斜線もしくはその変形パターンの画線を円筒状の印刷版胴全面にかつ連続して（画線に繋ぎ目なしで）施す必要があり、従って図１に示すような不等間隔でなる斜線（２０）や図２に示すようなその変形パターンとしての不等間隔でなる斜線が交差するチェックパターン（２２）の場合は、比較的容易にグラビア印刷やフレキソ印刷用の製版が可能であるが、例えば図３に示す不等間隔でなる直線、曲線、丸等が集合する幾何学パターン（２４）や図４に示す不等間隔でなる丸や楕円の集合でなる丸・楕円パターン（２６）の場合は、印刷版胴全面にかつ連続して（画線に繋ぎ目なしで）施すことは不可能でないが非常に困難なので、不等間隔でなる斜線（２０）や不等間隔でなる斜線が交差するチェックパターン（２２）とする方が好ましい。
【００３９】
以上のような偽造防止策が施された印刷物（１）は、例えばインスタント抽選券や抽選付ゲームカード、印刷物等に利用できるもので、具体的には、図７（ａ）に示すように、基材（５）として坪量１５０〜２００ｇ／ｍ２  の上質紙の上にオフセット印刷方式で橙色の細紋パターン（１４）を印刷し、さらにその上で基材（５）全面にフレキソ印刷方式で蛍光インキを用いて不等間隔でなる斜線（２０）を形成し、さらにその上にポリアセタール樹脂を主体とした透明なインキ受像層（３０）をグラビア方式で塗布し、その上にインキジェット方式で黒色の可変情報データ（１２）を印字し、その上からポリウレタンアクリル樹脂にシリコンを５％程度添加した剥離ニスをグラビア方式で塗布して易剥離層（３２）を形成し、さらにその上に、ＳＢＲ樹脂にアルミニウム粉末を添加したスクラッチインキをスクリーン印刷方式でスクラッチ隠蔽層（３４）を形成してスクラッチ籤（７）とすることができ、このスクラッチ籤（７）を購入した顧客は、コイン等でスクラッチ隠蔽層（３４）を易剥離層（３２）面からスクラッチオフすると、可変情報データ（１２）が視認され、「当たり」「外れ」等が確認されるものとすることができる。また、図７（ｂ）に示すように、細紋パターン（１４）を不等間隔でなる斜線（２０）の上に施した偽造防止策が施されたスクラッチ籤（７）とすることもできる。
【００４０】
【発明の効果】
本発明は以上の構成であるから、下記に示す如き効果がある。
即ち、上記請求項１に係る発明においては、走行する基材の片面に、複数の印字枠を有し該印字枠内にセキュリティ性の高い情報手段となる可変情報データが印字されている１面が多面付けで配列されていて、前記多面付けで印字されている可変情報データの下でかつ多面付けされる基材全面に不等間隔でなる斜線もしくはその変形パターンの画線が一枚毎に連続して印刷されている偽造防止策が施された印刷物において、少なくとも前記不等間隔でなる斜線もしくはその変形パターンの画線の１本が印字枠内に入っているので、印字枠内であるいは印字枠毎にその可変情報データを切取り・貼合わせ（貼り替え）て改ざん（贋造）しようとすると、貼り替えられた部分が不等間隔でなる斜線もしくはその変形パターンの画線にその周囲との連続性が無くなり、改ざん行為が容易に判明される偽造防止策が施された印刷物とすることができ、かつ多面付けで印字されている可変情報データの下で、多面付けされる基材全面に、不等間隔でなる斜線もしくはその変形パターンの画線が一枚毎に連続して印刷されていて、この不等間隔でなる斜線もしくはその変形パターンの画線が、走行方向に対し一枚毎に前後いずれかにずれて印刷されているので、貼り替えによる改ざんを防止するパターンとして同一となるものが殆ど発生しない偽造防止策が施された印刷物を提供できる。
【００４１】
また、上記請求項２に係る発明においては、上記不等間隔でなる斜線もしくはその変形パターンの画線が可視光下では視認不可能な特殊インキで印刷されているので、貼り替えによる改ざんをしようとする者には気付かれないので偽造防止効果を向上させ、かつ可視光下では可変情報データ等に影響を与えないので、この可変情報データや不等間隔でなる斜線等のデザイン性に自由度を付与する偽造防止策が施された印刷物とすることができる。
【００４２】
また、上記請求項３に係る発明においては、上記可変情報データの下で、かつ上記印字枠内に細紋パターンが施されているので、上記不等間隔でなる斜線もしくはその変形パターンの画線による改ざん防止効果に加え、よりその効果を向上させる偽造防止策が施された印刷物とすることができる。
【００４３】
また、上記請求項４に係る発明においては、走行する基材の片面に、複数の印字枠を有し該印字枠内にセキュリティ性の高い情報手段となる可変情報データが印字されている１面を多面付けで配列せしめ、前記多面付けで印字されている可変情報データの下でかつ基材全面に不等間隔でなる斜線もしくはその変形パターンの画線を施し、該画線中の少なくとも１本を各印字枠内に入れ、かつ基材の走行方向に対し一枚毎に前後いずれかにずらして印刷する偽造防止策が施された印刷物の製造方法であって、貼り替えられた部分が不等間隔でなる斜線もしくはその変形パターンの画線にその周囲との連続性が無くなり、容易に改ざん行為が判明される偽造防止策が施された印刷物の製造方法とすることができ、かつ多面付けで印字されている可変情報データの下で、基材全面に、不等間隔でなる斜線もしくはその変形パターンの画線が施された印刷版胴の回転を、走行する基材に対し一回転毎に前後いずれかにずらして印刷することによって、不等間隔でなる斜線もしくはその変形パターンの画線が走行方向に対し一枚毎に前後いずれかにずれて印刷されていて、よって貼り替えによる改ざんを防止するパターンとして同一となるものが殆ど発生しない偽造防止策が施された印刷物の製造方法とすることができる。
【００４４】
また、上記請求項５に係る発明においては、上記不等間隔でなる斜線もしくはその変形パターンの画線が可視光下では視認不可能な特殊インキで印刷することによって、貼り替えによる改ざんをしようとする者には気付かれないので偽造防止効果が向上し、かつ可視光下では可変情報データ等に影響を与えないので、そのデザイン性に自由度を増させる偽造防止策が施された印刷物の製造方法とすることができる。
【００４５】
さらにまた、上記請求項６に係る発明においては、上記可変情報データの下で、かつ上記印字枠内に細紋パターンが施しているので、上記不等間隔でなる斜線もしくはその変形パターンの画線による改ざん防止効果に加え、よりその効果を向上させる偽造防止策が施された印刷物の製造方法とすることができる。
【００４６】
従って本発明は、インスタント抽選券や抽選付ゲームカード、印刷物等における当選番号や当選絵柄等の改ざん行為を防止する偽造防止策が施された印刷物として、優れた実用上の効果を発揮する。
【図面の簡単な説明】
【図１】本発明の偽造防止策が施された印刷物の一実施の形態を示すもので、その不等間隔でなる斜線が形成された正面図である。
【図２】本発明の偽造防止策が施された印刷物の一実施の形態を示すもので、その不等間隔でなる斜線の変形パターンの一事例が形成された正面図である。
【図３】本発明の偽造防止策が施された印刷物の一実施の形態を示すもので、その不等間隔でなる斜線の変形パターンの他の一事例が形成された正面図である。
【図４】本発明の偽造防止策が施された印刷物の一実施の形態を示すもので、その不等間隔でなる斜線の変形パターンの他の一事例が形成された正面図である。
【図５】本発明の偽造防止策が施された印刷物の一実施の形態を示すもので、
（ａ）は、改ざんされた印刷物の正面図であり、
（ｂ）は、改ざんされる印刷物の正面図であり、
（ｃ）は、改ざんに使用する印刷物の正面図である。
【図６】本発明の偽造防止策が施された印刷物の製造工程の一事例を示すもので、（ａ）は、多面付けされるその１面を表す正面図であり、
（ｂ）は、多面付けされる基材を表す正面図であり、
（ｃ）は、その多面付けされる基材に不等間隔でなる斜線が形成された正面図である。
【図７】本発明の偽造防止策が施された印刷物を示すもので、
（ａ）は、その一事例を示す積層断面図であり、
（ｂ）は、他の一事例を示す積層断面図である。
【図８】従来の抽選付印刷物の一実施の形態を説明するもので、
（ａ）は、改ざんされた印刷物の正面図であり、
（ｂ）は、改ざんされる印刷物の正面図であり、
（ｃ）は、改ざんに使用する印刷物の正面図である。
【図９】従来の偽造防止策が施された印刷物の一実施の形態を説明するもので、
（ａ）は、改ざんされた印刷物の正面図であり、
（ｂ）は、改ざんされる印刷物の正面図であり、
（ｃ）は、改ざんに使用する印刷物の正面図である。
【符号の説明】
１‥‥偽造防止策が施された印刷物
２‥‥抽選付印刷物
３‥‥可変情報データが印字されている１面
５‥‥多面付けされる基材
７‥‥スクラッチ籤
１０‥‥印字枠
１２‥‥可変情報データ
１４‥‥細紋パターン
２０‥‥不等間隔でなる斜線
２２‥‥不等間隔でなる斜線が交差するチェックパターン
２４‥‥不等間隔でなる直線、曲線、丸等が集合する幾何学パターン
２６‥‥不等間隔でなる丸や楕円の集合でなる丸・楕円パターン
３０‥‥インキ受像層
３２‥‥易剥離層
３４‥‥スクラッチ隠蔽層
Ｐ‥‥基材の走行方向
【図１】
2004148712.tif 000003
【図２】
2004148712.tif 000004
【図３】
2004148712.tif 000005
【図４】
2004148712.tif 000006
【図５】
2004148712.tif 000007
【図６】
2004148712.tif 000008
【図７】
2004148712.tif 000009
【図８】
2004148712.tif 000010
【図９】
2004148712.tif 000011